(57)【要約】【課題】ミキサに対して複数台のオーディオ信号に関する外部機器を接続してなるミキシングシステムにおいて、ミキサと外侮機器の間の配線を簡略化し、また、配線コストを下げる。【解決手段】ミキサ１側に接続された１台のフォーマットコンバータ５と、ヘッドアンプ２側に接続された別のフォーマットコンバータ５とが、１本の前記コントロール／オーディオ通信ライン６を介して接続される。フォーマットコンバータ５は、通信Ｉ／Ｆ７と、コントロール信号Ｉ／Ｆ８と、オーディオ信号Ｉ／Ｆ９を有し、制御部５０において前記コントロールデータ及び前記オーディオデータをコントロールデータ及びオーディオデータを１本の物理的ケーブル６経由で伝送できるEtherSound（登録商標）プロトコルのデータに変換して通信Ｉ／Ｆ７から物理的ケーブル６経由で別のフォーマットコンバータ５に送信する。【選択図】図２
2008092114.tif 000002
【特許請求の範囲】
【請求項１】
オーディオミキサに対してオーディオ信号処理に関する外部機器が接続されてなるミキシングシステムにおいて、前記オーディオミキサと前記外部機器の間のデータ通信を仲介するフォーマット変換装置であって、ここで、前記オーディオミキサ及び前記外部機器は、所定のコントロールデータ通信フォーマットを用いてコントロールデータを通信するためのコントロールデータ通信ラインと、所定のオーディオデータ通信フォーマットを用いてオーディオデータを通信するためのオーディオデータ通信ラインとの２種類の物理的ケーブルが接続されるものであり、
前記フォーマット変換装置は、
前記コントロールデータ通信ラインを接続するコントロールデータ通信インターフェース手段と、
前記オーディオデータ通信ラインを接続するオーディオデータ通信インターフェース手段と、
前記コントロールデータ及び前記オーディオデータを１本の物理的ケーブル経由で伝送できるコントロール／オーディオ通信フォーマットのデータに変換し、また、該コントロール／オーディオ通信フォーマットのデータを前記コントロールデータ通信フォーマットのコントロールデータ及び前記オーディオデータ通信フォーマットのオーディオデータに変換するフォーマト変換手段と、
前記コントロール／オーディオ通信フォーマットを用いてデータを通信するためのコントロール／オーディオ通信ラインを接続するコントロール／オーディオ通信インターフェース手段と
を具えることを特徴とするフォーマット変換装置。
【請求項２】
前記フォーマット変換装置を含むミキシングシステムであって、前記オーディオミキサに対してコントロールデータ通信ライン及びオーディオデータ通信ラインを介して接続された１台の前記フォーマット変換装置と、前記外部機器に対してコントロールデータ通信ライン及びオーディオデータ通信ラインを介して接続された別の前記フォーマット変換装置とが、１本の前記コントロール／オーディオ通信ラインを介して接続されることを特徴とするミキシングシステム。
【請求項３】
前記フォーマット変換装置に対して複数台の前記外部機器がデイジーチェーン接続されることを特徴とする請求項２に記載のミキシングシステム。
【請求項４】
前記ミキシングシステムにおいて、前記オーディオミキサに接続された１台のフォーマット変換装置に対して、複数台の別のフォーマット変換装置が前記コントロール／オーディオ通信ラインを用いて接続されることを特徴とする請求項２又は３に記載のミキシングシステム。
【発明の詳細な説明】
【技術分野】
【０００１】
この発明は、オーディオミキサに対してオーディオ信号処理に関する外部機器をリモート制御するミキシングシステムに関する。
【背景技術】
【０００２】
従来から知られるディジタルオーディオミキサには、専用の通信プロトコルによるリモート操作に対応した外部機器を接続できるものがあった。例えば、本出願人が販売するディジタルオーディオミキサ：商品名「ＰＭ５Ｄ」と、本出願人が販売するヘッドアンプ：商品名「ＡＤ８ＨＲ」には、それぞれ専用のリモート端子（例えば、ＲＳ４２２規格のシリアル通信インターフェース等）が具備されており、該リモート端子の通信規格に準拠する物理的ケーブル（コントロールライン）を用いてミキサとヘッドアンプを接続して、該ミキサからヘッドアンプをリモート制御することができた。また、ヘッドアップは、例えばＡＥＳ／ＥＢＵなどの所定のディジタルオーディオ信号伝送規格に準拠する物理的ケーブル（オーディオライン）によりミキサに接続され、例えばマイク等の入力機器から入力された複数チャンネル分のオーディオ信号を該オーディオライン経由でディジタルミキサに出力していた。すなわち、ヘッドアンプとミキサの間には、オーディオ信号を伝送するオーディオラインと、前記リモート制御のためのコントロール信号を伝送するコントロールラインとの２種類のケーブルが配線されていた。
【０００３】
前記従来から知られるディジタルミキサには、複数台のヘッドアンプをデイジーチェーン方式で接続することができた。すなわち、ヘッドアンプには２つのリモート端子が具備されており、ミキサのリモート端子に１台目のヘッドアンプの１つのリモート端子を接続し、該１台目のヘッドアンプの別のリモート端子に２台目のヘッドアンプの１つのリモート端子を接続し、以下、２台目のヘッドアンプに３台目のヘッドアンプを接続し・・・という具合に、複数台のヘッドアンプを数珠繋ぎに接続できた。このとき、ミキサに接続された各ヘッドアンプには、該ミキサのリモート端子に直接接続された機器を先頭として順に連続したＩＤ番号が自動的に付与されていた（下記非特許文献１及び２を参照）。
【非特許文献１】http://www2.yamaha.co.jp/manual/pdf/pa/japan/mixers/PM5DJ1.pdf
【非特許文献２】http://www2.yamaha.co.jp/manual/pdf/pa/japan/others/ad8hr_ja_om.pdf
【０００４】
図７は、ミキサに複数台のヘッドアンプをデイジーチェーン接続した従来のミキサシステム構成例を示す。ミキサ１と複数台（図７の例では１２台）のヘッドアンプ２は、コントロール信号伝送用のコントロールライン３によりデイジーチェーン方式で接続されている。各ヘッドアンプ２には、ミキサ１のリモート端子に直接接続されたものから順にＩＤ番号「♯１」、「♯２」、「♯３」・・・「♯１２」が、ミキサ１から自動的に付与される。ミキサ１がリモート制御対象のヘッドアンプ２のＩＤ番号を含むコントロール信号をコントロールライン３経由で送出すると、コントロール信号はデイジーチェーン接続の順にヘッドアンプ２間で転送される。該ＩＤ番号に対応するヘッドアンプ２のみが該コントロール信号を受信することで、ミキサ１から特定のヘッドアンプ２の各チャンネル毎に各種パラメータの設定をリモート制御できた。また、図７に示す通り、各ヘッドアンプ２からミキサ１にディジタルオーディオ信号を伝送するためのオーディオライン４は、１台のヘッドアンプ２につき１本ずつ配線されるので、ミキサ１には１２台のヘッドアンプ２の各々から配線された１２本のオーディオライン４が接続されることになる。なお、図７においては、コントロールライン３を太線で示し、オーディオライン４を細線で示すことで両者を区別している。
【０００５】
例えば大型コンサート会場などにおいては、ミキサ１は、例えば会場中央乃至は後方奥等に設置されたコントロールブース内に配置され、一方、ヘッドアンプ２は、ステージ上の機器の近傍（例えばステージ脇など）に配置されるのが一般的である。ヘッドアンプ２が入力機器の近傍に配置されるのは、ノイズ混入・音質劣化の防止等の点から、ヘッドアンプ２と入力機器を接続するアナログオーディオラインの長さをできるだけ短くするのが望ましいからである。
このように、ミキサ１とヘッドアンプ２の設置場所が物理的に離れていると、ミキサ１とヘッドアンプ２の間に配線されるコントロールライン３及びオーディオライン４の長さがとても長くなってしまう。その上、オーディオライン４は、複数のヘッドアンプ２の各々から１本ずつ配線されるので、ヘッドアンプ２の設置数が多ければ、その分だけオーディオライン４の本数も増えてしまい、多数の長尺のオーディオライン４を用意する必要があった。このように、従来のミキシングシステムにおいては、ミキサ１とヘッドアンプ２の間の配線がとても面倒であり、また、配線コストが嵩むという不都合があった。
【発明の開示】
【発明が解決しようとする課題】
【０００６】
この発明は上述の点に鑑みてなされたもので、ミキサに対してオーディオ信号処理に関する外部機器を接続してなるミキシングシステムであって、特にミキサと外部機器の距離が大きく隔たる大規模なものにおいて、従来から利用されているミキサや外部機器の構成・仕様に変更を加えることなく、配線を簡略化し、また、配線コストを下げることが出来るミキシングシステムを提供することを目的とする。また、かかるミキシングシステムを実現するためのフォーマット変換装置を提供することを目的とする。
【課題を解決するための手段】
【０００７】
この発明は、オーディオミキサに対してオーディオ信号処理に関する外部機器が接続されてなるミキシングシステムにおいて、前記オーディオミキサと前記外部機器の間のデータ通信を仲介するフォーマット変換装置であって、ここで、前記オーディオミキサ及び前記外部機器は、所定のコントロールデータ通信フォーマットを用いてコントロールデータを通信するためのコントロールデータ通信ラインと、所定のオーディオデータ通信フォーマットを用いてオーディオデータを通信するためのオーディオデータ通信ラインとの２種類の物理的ケーブルが接続されるものであり、前記フォーマット変換装置は、前記コントロールデータ通信ラインを接続するコントロールデータ通信インターフェース手段と、前記オーディオデータ通信ラインを接続するオーディオデータ通信インターフェース手段と、前記コントロールデータ及び前記オーディオデータを１本の物理的ケーブル経由で伝送できるコントロール／オーディオ通信フォーマットのデータに変換し、また、該コントロール／オーディオ通信フォーマットのデータを前記コントロールデータ通信フォーマットのコントロールデータ及び前記オーディオデータ通信フォーマットのオーディオデータに変換するフォーマト変換手段と、前記コントロール／オーディオ通信フォーマットを用いてデータを通信するためのコントロール／オーディオ通信ラインを接続するコントロール／オーディオ通信インターフェース手段とを具えるフォーマット変換装置である。
【０００８】
また、この発明は、前記フォーマット変換装置を含むミキシングシステムであって、前記オーディオミキサに対してコントロールデータ通信ライン及びオーディオデータ通信ラインを介して接続された１台の前記フォーマット変換装置と、前記外部機器に対してコントロールデータ通信ライン及びオーディオデータ通信ラインを介して接続された別の前記フォーマット変換装置とが、１本の前記コントロール／オーディオ通信ラインを介して接続されるミキシングシステムである。また、前記ミキシングシステムは、前記フォーマット変換装置に対して複数台の前記外部機器がデイジーチェーン接続されるものであってよい。また、前記ミキシングシステムにおいて、前記オーディオミキサに接続された１台のフォーマット変換装置に対して、複数台の別のフォーマット変換装置が前記コントロール／オーディオ通信ラインを用いて接続されてよい。
【発明の効果】
【０００９】
この発明によれば、オーディオミキサと外部機器の間に、コントロールデータ及びオーディオデータを１本の物理的ケーブル経由で伝送できるコントロール／オーディオ通信フォーマットのデータに変換するフォーマット変換装置が介在する。従って、従来はコントロールデータ通信ラインとオーディオデータ通信ラインとの２種類の物理的ケーブルを用いて配線されていたオーディオミキサと外部機器の間に、１本の物理的ケーブルだけを配線すればよくなる。また、前記１本の物理的ケーブルとしては比較的安価な汎用のＬＡＮケーブルを利用できる。従って、オーディオミキサと外部機器の間の配線に簡略化することができ、また、使用するケーブル数も減るので配線コストも下がるという優れた効果を奏する。特にミキサと外部機器の距離が大きく隔たる大規模なシステムにおいて、配線簡略化並びに配線コスト抑制効果が大きい。また、オーディオミキサから外部機器へのコントロールデータ送信方法は、従来の方法をそのまま踏襲できるので、従来から使用されているオーディオミキサ及び外部機器の構成・仕様になんら変更を加えることなくこの発明に援用できるという優れた効果を奏する。
【発明を実施するための最良の形態】
【００１０】
以下、この発明の実施の形態を添付図面を参照して詳細に説明する。
【００１１】
図１は、この発明の一実施例に係るミキサシステムの構成例を示す。このミキサシステムは、複数台のヘッドアンプ２の各々に入力された複数チャンネル分のオーディオ信号をミキサ１へ出力し、また、該ミキサ１から該複数台のヘッドアンプ２の各々をリモート制御することができるシステムである。
【００１２】
ミキサ１とヘッドアンプ２は、従来から知られるものであってよい。この実施例においてミキサ１及びヘッドアンプ２として想定しているのは、例えば、本出願人が販売するディジタルミキサ：商品名「ＰＭ５Ｄ」及び本出願人が販売するヘッドアンプ：商品名「ＡＤ８ＨＲ」である。ミキサ１とヘッドアンプ２は、それぞれリモート端子（例えば、ＲＳ４２２規格のシリアル通信インターフェース等）を具備しており、該リモート端子に接続したコントロールライン３経由でコントロール信号を外部機器へ伝送することができる。また、ミキサ１とヘッドアンプ２は、例えばＡＥＳ／ＥＢＵなどの所定のディジタルオーディオ信号伝送規格に準拠するディジタルオーディオ端子を具備しており、該ディジタルオーディオ端子に接続されたオーディオライン４経由で複数チャンネル分のディジタルオーディオ信号を外部機器へ伝送することができる。なお、図１において、コントロールライン３を太線で示し、オーディオライン４を細線で示している。
【００１３】
この発明の一実施例に係るミキシングシステムにおいては、ミキサ１とヘッドアンプ２の間に、複数台（図の例では４台）のフォーマットコンバータ５が介在している。図１において、各フォーマットコンバータ５にアルファベット文字Ａ，Ｂ，Ｃ及びＤを添えて個々の装置の区別を示す。フォーマットコンバータ５は、コントロールライン３経由で伝送されるコントロール信号とオーディオライン４経由で伝送されるディジタルオーディオ信号を１本の物理的ケーブル６（図１において点線で示す）経由で伝送できる通信フォーマット（コントロール／オーディオ通信フォーマット）に変換する機能と、該物理的ケーブル６経由で伝送されるデータをオーディオライン４経由で伝送できる通信フォーマット（オーディオデータ通信フォーマット）又はコントロールライン３経由で伝送できる通信フォーマット（コントロールデータ通信フォーマット）に変換する機能を有する装置である。
【００１４】
図２は、図１に示すフォーマットコンバータ５の機能的構成を説明するためのブロック図であって、一例として図１の「フォーマットコンバータＢ」の構成を示している。また、図３はフォーマットコンバータ５の電気的ハードウェア構成の概要を示すブロック図である。図３に示す通り、フォーマットコンバータ５は、ＣＰＵ１０、ＲＯＭ１１及びＲＡＭ１２からなるマイクロコンピュータと、通信インターフェース（通信Ｉ／Ｆ）７と、コントロール信号インターフェース（コントロール信号Ｉ／Ｆ）８と、オーディオ信号インターフェース（オーディオ信号Ｉ／Ｆ）９と、表示制御回路１３と、操作子検出回路１４を含み、各部が通信バス１０Ｂを介して接続されている。
【００１５】
ＣＰＵ１０、ＲＯＭ１１及びＲＡＭ１２からなるマイクロコンピュータは、図２に示す制御部５０に対応しており、通信制御や、通信Ｉ／Ｆ７、コントロール信号Ｉ／Ｆ８及びオーディオ信号Ｉ／Ｆ９を介して入出力されるオーディオ信号及びコントロール信号のフォーマット変換処理等、当該フォーマットコンバータ５の各種動作制御を担う。
【００１６】
通信Ｉ／Ｆ７は、ディジタルオーディオ信号とコントロール信号とを１本の物理的ケーブルで通信できる通信フォーマット（コントロール／オーディオ通信フォーマット）に対応するインターフェース（コントロール／オーディオ通信インターフェース）であって、この実施例では一例としてEtherSound（登録商標）規格のネットワークインターフェースで構成されるものとする。通信Ｉ／Ｆ７に接続するケーブル６は、汎用のＬＡＮケーブル（ＣＡＴ５ケーブルなど）を利用することができる。この明細書では、フォーマットコンバータ５同士を接続する汎用のＬＡＮケーブル６を「オーディオ／コントロールライン」と称するものとする。前記EtherSoundプロトコルによれば、６４チャンネル分のオーディオ信号を含むパケットとコントロール信号を含むパケットとを含むイーサネットフレーム単位で双方向通信することができる。従って、フォーマットコンバータ５同士の間では、該EtherSoundのプロトコルを用いて、ディジタルオーディオ信号とコントロール信号を、１本の物理的ケーブルで構成されるオーディオ／コントロールライン６で通信することができる。
【００１７】
図２に示す通り、フォーマットコンバータ５は、通信Ｉ／Ｆ７に接続された汎用のＬＡＮケーブル６を介して、他のフォーマットコンバータ（図１において外部機器ＦＣ）５に接続されている。また、通信Ｉ／Ｆ７は、デイジーチェーン型又はスター型の接続方式に対応しており、複数台のフォーマットコンバータ５を相互に接続することができる。従って、通信Ｉ／Ｆ７には、オーディオ／コントロールライン６接続用の端子が少なくとも２つ具備されるものとする。
【００１８】
コントロール信号Ｉ／Ｆ８は、例えばＲＳ４２２規格に準拠するシリアル通信インターフェース（コントロールデータ通信インターフェース）であって、当該フォーマットコンバータ５と外部機器（ミキサ１又はヘッドアンプ２）の間でコントロールライン３を介してコントロール信号を伝送するために用いる。ここで、コントロール信号Ｉ／Ｆ８が準拠する通信規格は、ミキサ１からヘッドアンプ２をリモート制御するコントロール信号を伝送するための通信プロトコル（コントロールデータ通信フォーマット）に対応するものである。なお、この明細書において、前記コントロール信号伝送用の通信プロトコルを「コマンド通信プロトコル」と称するものとする。
【００１９】
また、オーディオ信号Ｉ／Ｆ９は、例えばＡＥＳ／ＥＢＵなどの所定のディジタルオーディオ信号伝送規格に準拠するインターフェース（オーディオデータ通信インターフェース）であって、当該フォーマットコンバータ５と外部機器（ミキサ１又はヘッドアンプ２）の間でオーディオライン４を介してディジタルオーディ信号を伝送するために用いる。ここで、オーディオ信号Ｉ／Ｆ９のディジタルオーディオ信号伝送規格は、ミキサ１とヘッドアンプ２の間でディジタルオーディ信号を伝送する際に使用するディジタルオーディオ信号伝送規格規格（オーディオデータ通信フォーマット）に対応するものである。以下において、このディジタルオーディオ信号伝送規格を「オーディオ通信プロトコル」と称する。なお、１台のフォーマットコンバータ５に対して複数のオーディオライン４が接続されうるよう、１台のフォーマットコンバータ５には複数のオーディオ信号Ｉ／Ｆ９が具備される。
【００２０】
なお、フォーマットコンバータ５には、表示器１５や操作子群１６等のユーザインタフェースが具備されていてよい。該表示器１５にはＣＰＵ１０から表示制御回路１３に与えられた命令に基づく各種情報が表示される。また、操作子群１６における各種操作入力は操作子検出回路１４において検出され、ＣＰＵ１０は該検出された操作入力に応じた制御を行う。
【００２１】
制御部５０によるフォーマット変換処理の概要は次の通りである。すなわち、制御部５０は、通信Ｉ／Ｆ７から取り込んだパケットデータ（コントロール信号及び／又はオーディオ信号を含む）のうちコントロール信号に対応するデータをコマンド通信プロトコルに対応する通信フォーマットに変換して、コントロール信号Ｉ／Ｆ８から外部機器（ミキサ１又はヘッドアンプ２）へ送信する。また、制御部５０は、通信Ｉ／Ｆ７から取り込んだパケットデータのうちオーディオ信号に対応するデータをオーディオ通信プロトコルに対応するフォーマットに変換して、オーディオ信号Ｉ／Ｆ９から外部機器（ミキサ１又はヘッドアンプ２）へ送信する。また、制御部５０は、コントロール信号Ｉ／Ｆ８から取り込んだコントロール信号及びオーディオ信号Ｉ／Ｆ９から取り込んだオーディオ信号を、オーディオ／コントロールライン６で使用する通信プロトコル（例えばEtherSoundプロトコル）に対応するフォーマットに変換し、該フォーマット変換したデータを通信Ｉ／Ｆ７から外部機器（他のフォーマットコンバータ５）へ送信する。
【００２２】
次に、図１及び図２を参照して、この実施例に係るミキシングシステムにおける各機器の接続形態について説明する。図１及び図２に示す通り、ミキサ１に対して「フォーマットコンバータＡ」が接続されており、ミキサ１と「フォーマットコンバータＡ」の間は、コントロール信号を伝送するためのコントロールライン３と、ディジタルオーディオ信号を伝送するためのオーディオライン４の２種類の物理的ケーブルが配線されている。従って、ミキサ１から見れば、外部機器（フォーマットコンバータ５）との接続の形態は従来と同様ということになる。
【００２３】
ミキサ１に直接接続された「フォーマットコンバータＡ」に対して３台のフォーマットコンバータ５（「フォーマットコンバータＢ」、「フォーマットコンバータＣ」及び「フォーマットコンバータＤ」）がデイジーチェーン接続されている。フォーマットコンバート５同士は、オーディオ／コントロールライン６で接続されており、これらのフォーマットコンバート５の間でEtherSoundプロトコルに準拠する通信ネットワークが構築される。各フォーマットコンバータ５には、該通信ネットワーク上で単一なＩＰアドレスが割り当てられてられる。各フォーマットコンバータ５は、該ＩＰアドレスにより、通信ネットワーク上に自機以外の他のフォーマットコンバータ５が存在していることを認識することができる。
【００２４】
そして、「フォーマットコンバータＢ」、「フォーマットコンバータＣ」及び「フォーマットコンバータＤ」の各々に対して、複数台（図１の例では４台）のヘッドアンプ２がコントロールライン３によりデイジーチェーン接続されている。フォーマットコンバータ５に直接接続された１台目のヘッドアンプ２は、該フォーマットコンバータ５のコントロール信号Ｉ／Ｆ８に接続される。以下、１台目のヘッドアンプ２に後続するヘッドアンプ２同士がコントロールライン３を介してデイジーチェーン接続される。また、フォーマットコンバータ５にデイジーチェーン接続された複数台のヘッドアンプ２の１台ごとに１本のオーディオライン４がデイジーチェーン接続元のフォーマットコンバータ５（「フォーマットコンバータＢ」、「フォーマットコンバータＣ」又は「フォーマットコンバータＤ」）に対して配線されている。従って、各ヘッドアンプ２から見れば、外部機器（フォーマットコンバータ５）との間では、従来と同様に、コントロール信号の伝送用のコントロールライン３と、オーディオ信号の伝送用のオーディオライン４との２種類のケーブルが配線されていることになる。
【００２５】
図１のミキシングシステムにおけるオーディオ信号の流れを説明する。
各ヘッドアンプ２は、マイク等の入力機器から複数チャンネル分のアナログオーディオ信号を取り込み、該複数チャンネル分のアナログオーディオ信号をディジタルオーディオ信号に変換して、オーディオライン４経由で送信する。フォーマットコンバータ５（「フォーマットコンバータＢ」、「フォーマットコンバータＣ」又は「フォーマットコンバータＤ」）では、自機が管轄する各ヘッドアンプ２からオーディオライン４経由でディジタルオーディオ信号を受信し、該受信したオーディオ信号を、オーディオ／コントロールライン６経由でデータを通信するための通信プロトコル（例えばEtherSoundプロトコル）に対応するフォーマットに変換する。そして、EtherSoundプロトコルに変換されたオーディオ信号（パケットデータ）をオーディオ／コントロールライン６経由で「フォーマットコンバータＡ」に送信する。「フォーマットコンバータＡ」は、オーディオ／コントロールライン６経由で受信したオーディオ信号（パケットデータ）をオーディオ通信プロトコルに対応するフォーマットのオーディオ信号に変換して、該変換したオーディオ信号をオーディオライン４経由でミキサ１に送信する。なお、図１において、「フォーマットコンバータＡ」とミキサ１の間には一例として、３本のオーディオライン４が配線されるよう描かれている。ここのオーディオライン４の配線本数は、「フォーマットコンバータＡ」からミキサ１へ１度に送信するオーディオチャンネルの総数と、オーディオライン４の規格（最大チャンネル数）に応じるものである。従って、図１においては、「フォーマットコンバータＡ」とミキサ１の間に複数本のオーディオライン４を配線しうる可能性の一例として３本のケーブルを描いたのであって、この本数は「フォーマットコンバータＡ」に接続された他のコンバータの数（この例では３台である）に準拠しているのではないことに留意されたい。
【００２６】
図１のミキシングシステムを例えば大型コンサート会場に適用した場合、ミキサ１に接続された「フォーマットコンバータＡ」をミキサ１の近傍（コントロールブース側）に配置し、ヘッドアンプ２群を接続する「フォーマットコンバータＢ」、「フォーマットコンバータＣ」又は「フォーマットコンバータＤ」をヘッドアンプ２の近傍（ステージ側）に配置することで、長距離を繋ぐ「フォーマットコンバータＡ」と「フォーマットコンバータＢ」との間の配線は、１本のオーディオ／コントロールライン６だけでよい。複雑且つ多数の配線を要するオーディオライン４及びコントロールライン３の配線は、距離が短い各フォーマットコンバータ５とミキサ１乃至ヘッドアンプ２群の間だけでよい。前述の通りオーディオ／コントロールライン６は、比較的安価な汎用のＬＡＮケーブルを利用できる。従って、この実施例に係るミキシングシステムによれば、大規模ミキシングシステムにおける配線を簡略化し、また、配線コストを下げることができることが理解されよう。
【００２７】
この実施例に係るミキシングシステムにおいて、ミキサ１からヘッドアンプ２をリモート制御する方法（両者の間でコントロール信号を送受信する方法）は、従来通りの方法を踏襲することが望ましい。というのも、フォーマットコンバータ５を導入のために従来のミキサ１やヘッドアンプ２の構成・仕様に変更や新規事項の追加が必要となることは、手間・コスト等の面から望ましくないからである。従って、フォーマットコンバータ５を介在させたミキシングシステムにおいて、ミキサ１からヘッドアンプ２をリモート制御方法を従来のまま踏襲できるようにする点もまた、本願の利点の１つである。そこで、ミキサ１からヘッドアンプ２をリモート制御方法を従来のまま踏襲するための各ヘッドアンプ２毎のＩＤ番号の割り当て方法及びヘッドアンプのリモート制御方法について、以下に説明する。
【００２８】
この実施例に係るミキシングシステムに接続された複数台のヘッドアンプ２には、それぞれに固有のＩＤ番号が付与される。ここで、各ヘッドアンプ２のＩＤ番号は、ミキサ１がリモート制御の対象の機器を特定するのに利用されるＩＤ番号である。従って、ミキサ１において従来から利用されているリモート制御の方法を踏襲するために、各ヘッドアンプ２に対するＩＤ番号は、前記図７を参照して説明した従来のミキシングシステムにおけるものと同様な考え方で割り当てられるものとする。すなわち、各ヘッドアンプ２には、あたかも当該システムにおける複数台のヘッドアンプ２がミキサ１に対してデイジーチェーン接続されているかの如く、何れか１台のヘッドアンプ２を先頭として連続するＩＤ番号が割り当てられる。
【００２９】
図１のシステム構成例においては、ミキサ１に対して直接接続された「フォーマットコンバータＡ」に対して「フォーマットコンバータＢ」、「フォーマットコンバータＣ」及び「フォーマットコンバータＤ」がデイジーチェーン接続されており、該「フォーマットコンバータＢ」、「フォーマットコンバータＣ」及び「フォーマットコンバータＤ」の各々に対して４台のヘッドアンプ２がデイジーチェーン接続されている。そこで、フォーマットコンバータ５のネットワークの上流（「フォーマットコンバータＡ」の直下）に位置する「フォーマットコンバータＢ」に直接接続されたヘッドアンプ２をミキサ１の直近のヘッドアンプ２とみなし、これにＩＤ番号「♯１」を割り当て、該「♯１」のヘッドアンプ２にデイジーチェーン接続された３台のヘッドアンプ２に対して接続順にＩＤ番号「♯２」、「♯３」及び「♯４」を割り当てる。そして「フォーマットコンバータＢ」に接続された「フォーマットコンバータＣ」にデイジーチェーン接続された４台のヘッドアンプ２に対して、前記ＩＤ番号「♯４」に続けて、「♯５」、「♯６」、「♯７」及び「♯８」を接続された機器の順で割り当て、更に、該「フォーマットコンバータＣ」に接続された「フォーマットコンバータＤ」にデイジーチェーン接続された４台のヘッドアンプ２に対して、前記ＩＤ番号「♯８」に続けて、「♯９」、「♯１０」、「♯１１」及び「♯１２」を接続された機器の順に割り当てる。
【００３０】
上記のような方法でヘッドアンプ２に対してＩＤ番号を割り当てることで、ミキサ１においては、あたかも従来と同様に自機に対して複数台のヘッドアンプ２がデイジーチェーン接続されているかの如く、従来と同様なリモート制御方法（従来と同様なコントロール信号）で、各ヘッドアンプ２の各チャンネル毎の各種パラメータの設定をリモート制御できる。なお、この発明の一実施例に係るミキシングシステムにおけるヘッドアンプに対するＩＤ番号割り当ての動作手順については後述の図５のフローチャートを参照して詳しく述べる。
【００３１】
また、図４は、この発明の別の実施形態の一例であって、図１とは別のミキシングシステム構成例である。図４に示す通り、このシステム構成では、ミキサ１に対して直接２台のヘッドアンプ２がデイジーチェーン接続されており、２台目のヘッドアンプ２に対して「フォーマットコンバータＡ」が接続されており、該「フォーマットコンバータＡ」に対して「フォーマットコンバータＢ」、「フォーマットコンバータＣ」及び「フォーマットコンバータＤ」がデイジーチェーン接続され、該「フォーマットコンバータＢ」、「フォーマットコンバータＣ」及び「フォーマットコンバータＤ」の各々に対して４台のヘッドアンプ２がデイジーチェーン接続されている。この場合には、ミキサ１に直接接続されたヘッドアンプ２に対してＩＤ番号「♯１」を割り当て、これに接続されたものをＩＤ番号「♯２」とし、「フォーマットコンバータＢ」に直接接続されたヘッドアンプ２に対して、前記ＩＤ番号「♯２」に続けて、ＩＤ番号「♯３」を割り当てる。以下、前記図１のシステム構成例で説明したものと同様な考え方に従い、各ヘッドアンプ２にＩＤ番号を割り当てる。従って、「フォーマットコンバータＢ」にデイジーチェーン接続された４台のヘッドアンプ２にはＩＤ番号「♯３」〜「♯６」、「フォーマットコンバータＣ」にデイジーチェーン接続された４台のヘッドアンプ２にはＩＤ番号「♯７」〜「♯１０」、「フォーマットコンバータＤ」にデイジーチェーン接続された４台のヘッドアンプ２にはＩＤ番号「♯１１」〜「♯１４」がそれぞれ割り当てられることになる。
【００３２】
図５は、ヘッドアンプ２に対してＩＤ番号を割り当てる処理の手順の一例を示すフローチャートである。この処理は、ミキシングシステム上のヘッドアンプをサーチして、ＩＤ番号未割り当ての機器に対してＩＤ番号を割り当てる処理であって、ミキサ１から自機に接続されている外部機器に対してヘッドアンプ２のサーチするマンドが送信されることにより開始する処理である。サーチコマンドは、ミキサ１からコントロールライン３経由で伝送される。なお、ミキサ１に対して接続されている機器が存在しない場合（ステップＳ１の「なし」）は、ステップＳ２にてミキサ１にサーチ結果「接続機器無し」を返信して、当該処理が終了する。
【００３３】
図４に示すシステム構成例のように、ミキサ１に対してヘッドアンプ２が直接されている場合（ステップＳ１の「ヘッドアンプ」）は、従来と同様に、直接ミキサ１に接続されたヘッドアンプ２にＩＤ番号を割り当てる（ステップＳ３）。図４のように複数台のヘッドアンプ２がミキサ１にデイジーチェーン接続されていれば、ステップＳ３の処理を繰り返して、該複数台のヘッドアンプ２に対してデイジーチェーン接続の順にＩＤ 番号を割り当てる。
【００３４】
図１に示すシステム構成例のように、ミキサ１に対してフォーマットコンバータ５が直接接続されている場合、或いは、図４のようなシステム構成においてミキサ１にデイジーチェーン接続されたＩＤ番号割り当て済みヘッドアンプ２の次に接続された機器がフォーマットコンバータ５であった場合（ステップＳ１の「フォーマットコンバータ」）、当該フォーマットコンバータ５（図１又は図４における「フォーマットコンバータＡ」）において、まず、次に割り当てるべきＩＤ番号を取得して（ステップＳ４）、該取得したＩＤ番号に基づくサーチコマンドを作成する（ステップＳ５）。ここで、次に割り当てるべきＩＤ番号とは、直前にヘッドアンプ２が接続されている場合は該直前のヘッドアンプ２に割り当てられたＩＤ番号に続く番号である。また、ミキサ１に対してフォーマットコンバータ５が直接されている場合には、次に割り当てるべきＩＤ番号は「♯１」となる。また、ステップＳ５にて作成されるコマンドとは、ミキサ１が送信したサーチコマンドと、前記次に割り当てるべきＩＤ番号と、自機（この場合「フォーマットコンバータＡ」）に直接接続されたヘッドアンプに関するサーチ完了済みの通知とからなる。「フォーマットコンバータＡ」にはヘッドアンプ２が接続されていないので、当該「フォーマットコンバータＡ」についてはヘッドアンプサーチを行う必要はない。従って、「フォーマットコンバータＡ」では、自機についてヘッドアンプサーチを行わずに前記ステップＳ４，５により新規のサーチコマンドを作成する。
【００３５】
ステップＳ６において、「フォーマットコンバータＡ」は、前記ステップＳ５で作成したサーチコマンドを、オーディオ／コントロールライン６経由でデータを通信するための通信プロトコル（EtherSoundプロトコル）に対応するフォーマットに変換する。そして、ステップＳ７において、「フォーマットコンバータＡ」は、前記ステップＳ６で変換したサーチコマンドをオーディオ／コントロールライン６経由で後続のフォーマットコンバータ５（図１又は図４の例では「フォーマットコンバータＢ」）送信する。
【００３６】
ステップＳ８において、「フォーマットコンバータＢ」は前記ステップＳ７において送信されたサーチコマンドを受信し、ステップＳ９において、「フォーマットコンバータＢ」は、前記ステップＳ８で受信したサーチコマンドを、コントロールライン３経由のデータ伝送に用いるコマンド通信プロトコルに対応するフォーマットに変換すると共に、該変換したデータ（サーチコマンド）のメッセージを解析する。そして、「フォーマットコンバータＢ」は、ステップＳ１０において該解析したサーチコマンドに基づき自機に接続されたヘッドアンプサーチ／ＩＤ番号の割り当てを開始する。
【００３７】
すなわち、自機にヘッドアンプ２が接続されていれば（ステップＳ１０のＹＥＳ）、該接続されたヘッドアンプ２に対してコントロールライン３経由でサーチコマンドを伝送して、ステップＳ１１及びステップＳ１２の処理により、該「フォーマットコンバータＢ」に接続された全てのヘッドアンプ２に対してＩＤ番号を割り当てる。具体的には、「フォーマットコンバータＢ」に直接接続されたヘッドアンプ２から順に前記サーチコマンドによる問い合わせを行うことで、該「フォーマットコンバータＢ」に直接接続されたヘッドアンプ２から順にＩＤ番号が割り当ててゆく。
【００３８】
「フォーマットコンバータＢ」に接続されている全てのヘッドアンプ２に対するＩＤ番号の割り当てが済むと（ステップＳ１１のＹＥＳ）、ステップＳ１３において「フォーマットコンバータＢ」は、自機に接続されているヘッドアンプ２の数と、各ヘッドアンプ２に割り当てられたＩＤ番号を記録（例えばＲＡＭ１２に設けられたデータテーブルに書き込む等）する。これにより、フォーマットコンバータ５は自機に接続されたヘッドアンプ２の数と、各ヘッドアンプ２のＩＤ番号を把握することができる。
【００３９】
ステップＳ１４において、「フォーマットコンバータＢ」は、他のコンバータのＩＰアドレスから、ネットワーク上に未チェックのフォーマットコンバータ５が接続されているかどうか調べる。未チェックのフォーマットコンバータがあれば（ステップＳ１４のＹＥＳ）、「フォーマットコンバータＢ」は、前記ステップＳ４，５と同様に、次に割り当てるべきＩＤ番号を取得して、該取得したＩＤ番号に基づくサーチコマンドを作成する（ステップＳ１５，Ｓ１６）。ここで、次に割り当てるべきＩＤ番号は、「フォーマットコンバータＢ」にデイジーチェーン接続された最後尾のヘッドアンプ２のＩＤ番号に続く番号である。そして、「フォーマットコンバータＢ」は、前記ステップＳ１５で作成したサーチコマンドを、EtherSoundプロトコルに対応するフォーマットに変換して（ステップＳ１７）、該変換したサーチコマンドをオーディオ／コントロールライン６経由で送信する（ステップＳ１８）。
【００４０】
そして、ステップＳ８以降の処理を繰り返すことで、ネットワーク上の全てのフォーマットコンバータ５について、ヘッドアンプ２のサーチ／ＩＤ番号の割り当て処理を行う。具体的には、前記ステップＳ１８で送信したサーチコマンドは、「フォーマットコンバータＢ」に接続された「フォーマットコンバータＣ」が受信し、該「フォーマットコンバータＣ」では前記ステップＳ１１〜Ｓ１３の処理により、自機に接続された全てのヘッドアンプ２に対してデイジーチェーン接続の順にＩＤ番号を割り当てて、自機に接続されたヘッドアンプ２の数と、各ヘッドアンプ２のＩＤ番号を記録する。ここで、「フォーマットコンバータＣ」に直接接続されたヘッドアンプ２に割り当てられるＩＤ番号は、「フォーマットコンバータＢ」にデイジーチェーン接続された最後尾のヘッドアンプ２のＩＤ番号に続く番号であるため、「フォーマットコンバータＢ」に接続されたヘッドアンプ２に割り当てられたＩＤ番号に重複することはない。同様に、「フォーマットコンバータＤ」接続された全てのヘッドアンプ２に対して、該「フォーマットコンバータＣ」にデイジーチェーン接続された最後尾のヘッドアンプ２のＩＤ番号に続くＩＤ番号から順に連続するＩＤ番号を割り当て、自機に接続されたヘッドアンプ２の数と、各ヘッドアンプ２のＩＤ番号を記録する。これにより、ネットワーク上の複数のフォーマットコンバータ５に接続された複数台のヘッドアンプ２の間で連続したＩＤ番号を与えることができる。
【００４１】
なお、前記ステップＳ８においてサーチコマンドを受信したフォーマットコンバータ５にヘッドアンプ２が接続されていない場合（ステップＳ１０のＮＯ）には、ステップＳ１４におけるネットワーク上の未チェックのフォーマットコンバータ５の有無の判断に処理を進める。
【００４２】
ネットワーク上の全てのフォーマットコンバータ５について上述のヘッドアンプ２のサーチ／ＩＤ番号の割り当て処理が済んだら（ステップＳ１４のＮＯ）、ミキサ１にサーチ結果を返信して（ステップＳ１９）、当該処理が終了する。これにより、ミキサ１は、当該ミキサシステムに接続されたヘッドアンプ２の数と、各ヘッドアンプ２のＩＤ番号とを把握することができる。なお、ここで、ミキサ１はミキシングシステムに接続されたヘッドアンプ２の数及び各ヘッドアンプ２のＩＤ番号を認識するが、システムの構成（フォーマットコンバータ５がどこに介在しているか、どのフォーマットコンバータ５にヘッドアンプ２が接続されているか等）はミキサ１の関与することではない。すなわち、ミキサ１は、あたかも従来と同様に複数台のヘッドアンプ２が自機に対してデイジーチェーン接続されているかのごとく、当該ミキシングシステムの構成を認識している。従って、次に述べるミキサ１によるヘッドアンプ２のリモート制御方法は従来と同様な方法をそのまま援用することができるのである。
【００４３】
図６は、ミキサ１からヘッドアンプ２をリモート制御する際のヘッドアンプ２に対するコントロール信号の送信手順の一例を示すフローチャートである。図６を参照して、ミキサ１からヘッドアンプ２へのコントロール信号の送信動作について説明する。ミキサ１は、前記図５の処理により各ヘッドアンプ２に割り当てられたＩＤ番号に基づき個々のヘッドアンプ２を特定し、各ヘッドアンプ２の各チャンネル毎に各種パラメータの設定をリモート制御できる。ミキサ１は、リモート制御対象のヘッドアンプ２のＩＤ番号を含むコントロール信号（コマンド）をコマンド通信プロトコルを用いてコントロールライン３経由で自機に直接接続された外部機器に対して送信する。前述の通り、複数台のヘッドアンプ２にはミキサ１に直近のものから順に連続するＩＤ番号が割り当てられるので、ミキサ１は、従来と同様に、リモート制御対象のヘッドアンプ２のＩＤ番号に宛ててコントロール信号を発行するだけでよい。
【００４４】
リモート制御対象のヘッドアンプ２が、図４の構成例に示すミキサ１の直下の２台のヘッドアンプ２のように、フォーマットコンバータ５を介さずに接続されているものである場合は（ステップＳ２０のＹＥＳ）、ステップＳ２１において前記ミキサ１からコントロールライン３経由で送出されたコントロール信号（コマンド）が、該コントロール信号に含まれるＩＤ番号に基づき特定されるヘッドアンプ２に対して発行される。すなわち、該ＩＤ番号に対応するリモート制御対象のヘッドアンプ２が前記コントロール信号を受信し、該受信したコントロール信号に基づく制御（パラメータ設定等）が該リモート制御対象のヘッドアンプ２で実行される。
【００４５】
リモート制御対象のヘッドアンプ２がフォーマットコンバータ５を介して接続されているものである場合は（ステップＳ２０のＮＯ）、前記ミキサ１から送信されたコントロール信号はミキサ１に直近の「フォーマットコンバータＡ」に供給される。「フォーマットコンバータＡ」は、前記ミキサ１から送信されたコントロール信号を、EtherSoundプロトコルに対応するフォーマットに変換して（ステップＳ２２）、該変換したコントロール信号をオーディオ／コントロールライン６経由で後続のフォーマットコンバータ５（図１又は図４の例では「フォーマットコンバータＢ」）送信する（ステップＳ２３）。
【００４６】
ステップＳ２４において、「フォーマットコンバータＢ」は、前記ステップＳ２３で送信されたコントロール信号を受信し、ステップＳ２５において、該受信したコントロール信号を、コマンド通信プロトコルに対応するフォーマットに変換すると共に、該コントロール信号のメッセージを解析する。前述の通り、各フォーマットコンバータ５には、自機に接続されている各ヘッドアンプのＩＤ番号が記録されているので（前記図５のステップＳ１３参照）、該コントロール信号を受信した「フォーマットコンバータＢ」は、前記コントロール信号に含まれるＩＤ番号を参照して、リモート制御対象のヘッドアンプ２が自機に接続されたものであるかどうか判断することができる（ステップＳ２６）。
【００４７】
リモート制御対象のヘッドアンプ２が自機に接続されたものであれば（ステップＳ２６のＹＥＳ）、ステップＳ２７において、フォーマットコンバータＢは、コントロールライン３経由でリモート制御対象のヘッドアンプ２に対してコマンドを発行する。すなわち、フォーマットコンバータＢから自機に接続されたヘッドアンプ群２に対してコマンド信号が送信されると、フォーマットコンバータＢに直接接続されたヘッドアンプ２から順にコマンド信号が転送され、該ヘッドアンプ群２のうちのＩＤ番号の対応するヘッドアンプ２が当該コントロール信号を受信する。
【００４８】
一方、リモート制御対象のヘッドアンプ２が自機に接続されたものでない場合（ステップＳ２６のＮＯ）、ネットワーク上に他のフォーマットコンバータ５の有無をＩＰアドレスに基づきチェックし、他のフォーマットコンバータ５（但し「フォーマットコンバータＡ］以外）が接続されていれば（ステップＳ２８のＹＥＳ）、「フォーマットコンバータＢ」はコントロール信号を、EtherSoundプロトコルに対応するフォーマットに変換して（ステップＳ２９）、該変換したコントロール信号をオーディオ／コントロールライン６経由で後続のフォーマットコンバータ５（図１又は図４の例では「フォーマットコンバータＣ」）に再送信する（ステップＳ３０）。ステップＳ２８の判断において他のフォーマットコンバータ５（但し「フォーマットコンバータＡ」以外）が接続されていないと判断された場合（ステップＳ２８のＮＯ）、システム内にリモート制御対象のヘッドアンプ２が存在しないことになるので、コントロール信号を破棄して処理を終了する。
【００４９】
そして、前記ステップＳ２４以降の処理を繰り返すことで、ネットワーク上の他のフォーマットコンバータ５では、リモート制御対象のヘッドアンプ２が自機に接続されたものであれば、受信したコントロール信号を該リモート制御対象のヘッドアンプ２に発行し、また、リモート制御対象のヘッドアンプ２が自機に接続されたものでなければ、受信したコントロール信号を、後続のフォーマットコンバータ５に再送信する動作が行われる。
【００５０】
かくして、この実施例に係るミキシングシステムにおいて、ミキサ１からみれば、フォーマットコンバータ５を介して接続された各ヘッドアンプ２の各チャンネル毎の各種パラメータ設定を、従来と同様な方法でリモート制御することができる。なお、ヘッドアンプ２からミキサ１へコントロール信号を送信する場合は、該ヘッドアンプ２からミキサ１に宛てて送信されたコントロール信号がフォーマットコンバータ５を介してミキサ１へ伝送されるだけであるため、こちらもヘッドアンプ２からみれば従来の方法から格別変更はない。
【００５１】
以上説明した通り、この発明によれば、ミキサ１とヘッドアンプ２群との間に、コントロール信号とディジタルオーディオ信号を１本の物理的ケーブル（コントロール／オーディオライン）６で伝送できるフォーマットに変換するフォーマットコンバータ５を介在させることで、従来はコントロールライン３と多数のオーディオライン４とで複雑に配線されていたミキサ１とヘッドアンプ２群との間の配線を簡略化することができるという優れた効果を奏する。特に、大型コンサート会場などにおいて、ミキサ１とヘッドアンプ２群との距離が物理的に遠く離れている場合には、長距離の配線をたった１本の物理的ケーブル（コントロール／オーディオライン）６で済ませることができるので、従来のシステム（図７参照）に比べて、格段に配線を簡略化することができ、また、オーディオ／コントロールライン６は、比較的安価な汎用のＬＡＮケーブルを利用できるので大幅に配線コストを下げることができるという優れた効果を奏する。ミキサ１からヘッドアンプ２をリモート制御する方法は従来の方法をそのまま踏襲しているので、従来から使用されているミキサ１及びヘッドアンプ２を、その構成・仕様になんら変更を加えることなく、この実施例に係るフォーマットコンバータ５を介在させたミキシングシステムに組み込むことができるという優れた効果を奏する。
【００５２】
なお、上記図１又は図４に示すミキシングシステム構成は一例であって、フォーマットコンバータ５の台数や、各フォーマットコンバータ５に接続されるヘッドアンプ２の台数は、図示の例に限定されない。また、上記実施例ではオーディオ信号処理に関する外部機器の一例として、ヘッドアンプ２を挙げたが、ヘッドアンプ以外のディジタルオーディオ機器であっても、この発明を適用しうる。また、上記図５及び図６に示した各ヘッドアンプ２毎のＩＤ番号の割り当て方法及びヘッドアンプ２のリモート制御方法の各フローチャートは、従来の方法を踏襲する動作を説明的に示したものに過ぎない。従って、各ヘッドアンプ２毎のＩＤ番号の割り当て方法及び各ヘッドアンプ２のリモート制御方法は、従来と同様な方法でさえあればよく、上記図５及び図６に示す方法に限定されるものではない。
【００５３】
また、上記実施例において、フォーマットコンバータ５同士がデイジーチェーン方式で接続される構成例を示したが、これに限らず、中心となる１台の機器（ハブ）を中心に複数のフォーマットコンバータ５を接続するスター型接続でフォーマットコンバータ５同士を接続してもよい。この場合、フォーマットコンバータ５同士はスター型接続されていても、ミキサ１においては、複数台のヘッドアンプ２が自機に対してデイジーチェーン接続されているかのごとく認識するので、ヘッドアンプ２のリモート制御方法は従来と同様な方法をそのまま援用することができる。
【００５４】
また、上記実施例においては、オーディオ／コントロールライン６経由でデータを通信するための通信プロトコルの一例としてEtherSoundプロトコルを適用する例について説明したが、これに限らず、オーディオ信号とコントロール信号とを１本の物理的ケーブルで伝送できるものであれば、例えば、CobraNet（登録商標）などその他の通信プロトコルを適用してもよい。
【図面の簡単な説明】
【００５５】
【図１】この発明の一実施例に係るミキシングシステムの構成例を示すブロック図。
【図２】同実施例に係るフォーマットコンバータの機能的構成例を示すブロック図。
【図３】同実施例に係るフォーマットコンバータの電気的ハードウェア構成を示すブロック図。
【図４】同実施例に係るミキシングシステムの別の構成例を示すブロック図。
【図５】同実施例に係るミキシングシステムにおけるヘッドアンプサーチ（ＩＤ番号割り当て）処理の手順の一例を示すフローチャート。
【図６】同実施例に係るミキシングシステムにおけるヘッドアンプのリモート制御のためのコントロール信号送信手順の一例を示すフローチャート。
【図７】従来から知られるキシングシステムの構成例を示すブロック図。
【符号の説明】
【００５６】
１  ミキサ、２  ヘッドアンプ、３  コントロールライン、４  オーディオライン、５  フォーマトコンバータ、６  コントロール／オーディオライン、７  通信Ｉ／Ｆ、８  コントロール信号Ｉ／Ｆ、９  オーディオ信号Ｉ／Ｆ、１０  ＣＰＵ、１１  ＲＯＭ、１２  ＲＡＭ、１３  表示制御回路、１４  操作子検出回路、１５  表示部、１６  操作子群
【図１】
2008092114.tif 000003
【図２】
2008092114.tif 000004
【図３】
2008092114.tif 000005
【図４】
2008092114.tif 000006
【図５】
2008092114.tif 000007
【図６】
2008092114.tif 000008
【図７】
2008092114.tif 000009